(57)【要約】  本発明は、簡易、無接着剤、ダブルピン構造の可動式履板モデルを提供しており、中間接続部材と、履板と、弾性ピンブッシュと、補助クランプと、を含み、前記中間接続部材の回転軸孔には弾性開口を有し、かつ前記中間接続部材は前記弾性開口により前記履板の中間回転軸に係止接合し、前記履板の両端にはいずれも反転型ダボが設けられ、前記反転型ダボと前記弾性ピンブッシュとは接合することにより、前記弾性ピンブッシュを前記反転型ダボに入れた後に係合固定することができる。本発明は、一度に組み立てることができ、製造の難しさを簡易化させ、製造効率を向上させる。【選択図】図１
2017504453.tif 000002
【特許請求の範囲】
【請求項１】
中間接続部材と、履板と、弾性ピンブッシュと、補助クランプと、を含む簡易、無接着剤、ダブルピン構造の可動式履板モデルであって、
前記中間接続部材の回転軸孔には弾性開口を有し、かつ前記中間接続部材は前記弾性開口により前記履板の中間回転軸に係止接合し、前記履板の両端にはいずれも反転型ダボが設けられ、前記反転型ダボと前記弾性ピンブッシュとは接合することにより、前記弾性ピンブッシュを前記反転型ダボに入れた後に係合固定することができることを特徴とする簡易、無接着剤、ダブルピン構造の可動式履板モデル。
【請求項２】
前記補助クランプは、上補助クランプ、下補助クランプ及び第３補助クランプを含むことを特徴とする請求項１に記載の履板モデル。
【請求項３】
上補助クランプには位置決めピンが設けられ、下補助クランプには位置決めピンに対応して位置決め孔が設けられ、上補助クランプと下補助クランプとは位置決めピンにより位置決め孔に係合固定されることを特徴とする請求項１に記載の履板モデル。
【発明の詳細な説明】
【技術分野】
【０００１】
本発明は戦車モデルの部品に関し、特に、戦車モデルにおける可動式ダブルピン履板モデルに関する。
【背景技術】
【０００２】
静止状態の戦車モデルの設計において、ダブルピン履板の可動性が１つの重要な方面であり、可動な履板は、モデルの真実度を極めて向上することができ、現在のダブルピンの可動履板は、金属材質とＰＳ（ポリスチレン）材質という２種を含み、金属材質のダブルピン履板は、通常にモデルの付属品として、専門の付属品会社で生産され、モデルのプレーヤーは自分で購買し、モデルキットに付属されていない。モデルキットにおいて、通常にＰＳ（ポリスチレン）材料を採用してダブルピン履板を設計して製造する。
【０００３】
凹凸係合（偽のダブルピン）又はピンブッシュ＋ダボの方法の欠点は、以下の通りである。凹凸係合の設計は、構成が堅固ではなく、組み立てる時に凸部は摩耗しやすく、可動性が悪く、真実のダブルピン構造を真似することができない。ピンブッシュ＋ピンの設計は、組合せが困難であり、製造時間が長く、かつ組立てと着色する際に破断や構成的損害を発生しやすく、履板の組立てが失敗し、或いは破断することを引き起こす。
【発明の概要】
【発明が解決しようとする課題】
【０００４】
本発明の目的は戦車モデルにおいて真実のダブルピン履板を真似する可動式履板装置を提供することである。
【課題を解決するための手段】
【０００５】
上記目的を実現するために、本発明、簡易、無接着剤、ダブルピン構造の可動式履板モデルを提供し、中間接続部材と、履板と、弾性ピンブッシュと、補助クランプとを含む。
【０００６】
前記中間接続部材の回転軸孔には弾性開口を有し、かつ前記中間接続部材は前記弾性開口により前記履板の中間回転軸に係止接合し、前記履板の両端にはいずれも反転型ダボが設けられ、前記反転型ダボと前記弾性ピンブッシュとは接合することにより、前記弾性ピンブッシュを前記反転型ダボに入れた後に係合固定されることができる。
【０００７】
前記補助クランプは上補助クランプ、下補助クランプ及び第３補助クランプを含む。
【０００８】
上補助クランプには位置決めピンが設けられ、下補助クランプは位置決めピンに対応して位置決め孔が設けられ、上補助クランプと下補助クランプとは、位置決めピンにより位置決め孔に係合固定される。
【０００９】
従来技術に比べて、本発明は、以下の特徴を有する。
【００１０】
（１）本物のダブルピンを採用し（真実のダブルピン履板の効果を真似する）、接着剤せずに接着する。
（２）ＴＰＥ（Ｔｈｅｒｍｏｐｌａａｓｔｉｃ  Ｅｌａｓｔｏｍｅｒ）を材料として履板ピンブッシュを製造し、ＴＰＥ（Ｔｈｅｒｍｏｐｌａａｓｔｉｃ  Ｅｌａｓｔｏｍｅｒ）材料の延性と柔軟性を利用して、細かいダボとピンブッシュとが結合する時における破断と構成的損害の問題を徹底的に解決し、履板が接続した後に、可動性と構造は真実の履板とほぼ完全に同じであり、静止状態の戦車モデルの履板の真似することを新しい水準まで達する。
（３）専門に設計する補助クランプは、製造の難しさを大幅に低下させて、製造効率を向上させる。
【図面の簡単な説明】
【００１１】
以下、図面を参照しながら、実施例に合わせて、さらに、本発明を詳しく説明する。
【００１２】
【図１】図１は、本発明の好ましい実施例に係る履板の組立てを模式的に示す図である。
【図２】図２は本発明の好ましい実施例に係る上補助クランプと下補助クランプを模式的に示す図である。
【図３】図３は、本発明の好ましい実施例に係る履板の組立てを模式的に示す図である。
【発明を実施するための形態】
【００１３】
図１を参照し、図１に示すように、中間接続部材１と履板２を含み、中間接続部材１の回転軸孔には弾性開口５０が開設され、履板２の中間回転軸５１に噛み合わせて、即ち、中間回転軸５１は前記弾性開口５０内に噛み合わせて、中間接続部材１と履板２とを初期に接続する作用を発揮する。該中間接続部材１と履板２とはＰＳ（ポリスチレン）材料である。その後に６つを一組として組み立てる。
【００１４】
前記履板２の両端には、いずれも反転型ダボ２１が設けられ、前記反転型ダボ２１と前記弾性ピンブッシュ５８とは接合することにより、前記弾性ピンブッシュ５８を前記反転型ダボ２１に入れた後に係合固定することができる。
【００１５】
前記補助クランプは、上補助クランプ５２、下補助クランプ５３及び第３補助クランプ５７を含む。
【００１６】
図２に示すように、上補助クランプ５２と下補助クランプ５３を提供し、中間接続部材１と履板２とは、上補助クランプ５２と下補助クランプ５３との間に固定され、上補助クランプ５２には位置決めピン５４が設けられ、下補助クランプは位置決めピン５４に対応して位置決め孔５５が設けられ、上補助クランプ５２と下補助クランプ５３とは、位置決めピン５４と位置決め孔５５により係合固定される。
【００１７】
図３を結合し、図３におけるステップ３１に示すように、ＴＰＥ（Ｔｈｅｒｍｏｐｌａａｓｔｉｃ  Ｅｌａｓｔｏｍｅｒ）を材料とする弾性ピンブッシュ５８は、履板２における反転型ダボ２１の距離位置で流路に配列される。図３におけるステップ３２に示すように、組み立てる時に第３補助クランプ５７のテンプレート孔に配置し、その後に流路を切取る。図３におけるステップ３３に示すように、第３補助クランプ５７は、弾性ピンブッシュ５８を搭載して下補助クランプ５３のガイドロッドに沿って一度に５つの弾性ピンブッシュ５８を履板２の反転型ダボ２１に入れて、第３補助クランプ５７から取り外して装着を完了する。
【００１８】
上記形状、構成及びその結合の思想を基づき、簡易、無接着剤、真実のダブルピン履板構造を真似する可動式履板モデルの設計構造を実現する。本発明は、前記実施例において具体的な方法を記しているが、前記実施例に言及した範囲で限定されず、本発明の趣旨から離れない範囲で行った修正や変更は、いずれも本発明の保護範囲に含まれる。
【図１】
2017504453.tif 000003
【図２】
2017504453.tif 000004
【図３】
2017504453.tif 000005
【国際調査報告】
2017504453.tif 000006
2017504453.tif 000007
2017504453.tif 000008
2017504453.tif 000009